(57)【要約】【目的】電子書籍にリッチ設定情報を容易に設定できるようにする。【構成】ＤＴＰレイアウト・データの作成後，または作成途上において，ＤＴＰレイアウト表示画面上において，リッチ要素のための領域を表わすリッチ要素フレーム41，42を設定し，設定されたリッチ要素フレームに関連して，リッチ要素の特定と動作設定とを含むリッチ設定入力情報を入力し，リッチ要素フレームのＤＴＰレイアウト上の位置と入力されたリッチ設定入力情報とを取得して，指定形式のリッチ設定情報に変換し，電子書籍ビューアの解読可能なリッチ設定情報を制作する。【選択図】図４
2014174651.tif 000002
【特許請求の範囲】
【請求項１】
ＤＴＰレイアウト・データを作成するＤＴＰレイアウト作成手段，
ＤＴＰレイアウト表示画面上において，リッチ要素のために選定された領域を表わすリッチ要素フレームを設定して表示するリッチ要素フレーム設定手段，
設定されたリッチ要素フレームに関連して，設定すべきリッチ要素に関する，少なくともリッチ要素の特定と動作設定とを含む情報を入力するリッチ設定情報入力手段，および
上記フレーム設定手段により設定されたリッチ要素フレームのＤＴＰレイアウト上の位置と上記リッチ設定情報入力手段により入力されたリッチ設定入力情報とを取得して，指定形式のリッチ設定情報に変換する変換手段，
を備えた電子書籍制作システム。
【請求項２】
ＤＴＰレイアウト表示画面上において，リッチ要素のために選定された領域を表わすリッチ要素フレームを設定して表示するリッチ要素フレーム設定手段，
設定されたリッチ要素フレームに関連して，設定すべきリッチ要素に関する，少なくともリッチ要素の特定と動作設定とを含む情報を入力するリッチ設定情報入力手段，および
上記フレーム設定手段により設定されたリッチ要素フレームのＤＴＰレイアウト上の位置と上記リッチ設定情報入力手段により入力されたリッチ設定入力情報とを取得して，指定形式のリッチ設定情報に変換する変換手段，
を備えた電子書籍制作システムにおけるリッチ設定情報制作装置。
【請求項３】
上記リッチ設定情報入力手段は，リッチ設定ユーザ・インターフェースを表示画面に表示するものである，請求項２に記載のリッチ設定情報制作装置。
【請求項４】
上記リッチ設定情報入力手段により入力されたリッチ設定入力情報を，関連するリッチ要素フレーム内に表示するリッチ設定情報入力確認手段をさらに備える，請求項２または３に記載のリッチ設定情報制作装置。
【請求項５】
上記リッチ設定情報入力確認手段をアクティブに切替える切替手段をさらに備え，上記リッチ設定情報入力確認手段はアクティブに切替えられたときに上記リッチ設定入力情報を表示する，請求項４に記載のリッチ設定情報制作装置。
【請求項６】
ＤＴＰレイアウト・データを作成する途上，またはその後に，ＤＴＰレイアウト表示画面上において，リッチ要素のために選定された領域を表わすリッチ要素フレームを設定して表示し，
設定されたリッチ要素フレームに関連して，設定すべきリッチ要素に関する，少なくともリッチ要素の特定と動作設定とを含む情報の入力を受付け，
設定されたリッチ要素フレームのＤＴＰレイアウト上の位置と入力を受付けたリッチ設定入力情報とを取得して，指定形式のリッチ設定情報に変換する，
電子書籍制作方法。
【請求項７】
ＤＴＰレイアウト表示画面上において，リッチ要素のために選定された領域を表わすリッチ要素フレームを設定して表示し，
設定されたリッチ要素フレームに関連して，設定すべきリッチ要素に関する，少なくともリッチ要素の特定と動作設定とを含む情報の入力を受付け，
設定されたリッチ要素フレームのＤＴＰレイアウト上の位置と入力を受付けたリッチ設定入力情報とを取得して，指定形式のリッチ設定情報に変換する，
電子書籍制作におけるリッチ設定情報制作方法。
【請求項８】
ＤＴＰレイアウト・データを作成する途上，またはその後に，ＤＴＰレイアウト表示画面上において，リッチ要素のために選定された領域を表わすリッチ要素フレームを設定して表示し，
設定されたリッチ要素フレームに関連して，設定すべきリッチ要素に関する，少なくともリッチ要素の特定と動作設定とを含む情報の入力を受付け，
設定されたリッチ要素フレームのＤＴＰレイアウト上の位置と入力を受付けたリッチ設定入力情報とを取得して，指定形式のリッチ設定情報に変換するようにコンピュータを制御するための，
電子書籍制作プログラム。
【請求項９】
ＤＴＰレイアウト表示画面上において，リッチ要素のために選定された領域を表わすリッチ要素フレームを設定して表示し，
設定されたリッチ要素フレームに関連して，設定すべきリッチ要素に関する，少なくともリッチ要素の特定と動作設定とを含む情報の入力を受付け，
設定されたリッチ要素フレームのＤＴＰレイアウト上の位置と入力を受付けたリッチ設定入力情報とを取得して，指定形式のリッチ設定情報に変換するようにコンピュータを制御するための，
電子書籍制作におけるリッチ設定情報制作プログラム。
【発明の詳細な説明】
【技術分野】
【０００１】
この発明はＤＴＰレイアウト表示上においてＤＴＰレイアウトに関連してリッチ要素に関する情報を設定するリッチ設定情報制作装置（手段），それを備えた電子書籍制作システム，およびそれらの制作方法，ならびにそれらの方法をコンピュータによって実行するためのプログラムに関する。ＤＴＰはデスクトップ・パブリッシング（Desktop Publishing）の意味で，ＤＴＰレイアウト・データとはチラシ，カタログ，書籍等の印刷や電子出版のためにコンピュータを用いて文字，文章等（以上，文字データ），図形，画像，図表等（以上，画像データ）などを編集，レイアウトして得られるデータの集まりで，製版データ，下版データ，紙面レイアウト・データ等と呼ばれるものを含む。ＤＴＰレイアウトとはそれらのデータによって表わされる文字，画像の配置である。リッチ要素とは紙に印刷（プリント）するのに適したＤＴＰレイアウト（データ）（「紙版」という）に追加し，電子版（いわゆる電子書籍）のコンテンツをより豊富化する電子版特有の表現要素を意味し，具体的には動画，音声（音楽等を含む）およびハイパーリンク等が含まれる。
【０００２】
電子書籍データの制作にはソースデータとして，印刷物作成に用いた紙面デザイン・データ（ＤＴＰレイアウト・データ）を使用することが一般的である。また，電子書籍に動画，音声，リンクのような，いわゆるリッチ要素を組み込むことも一般的である。
【０００３】
電子書籍ビューア上でリッチ要素を展開するには，電子書籍ビューアが解釈できるように，リッチ要素に関する情報を記述したテキスト情報（「リッチ設定情報」という）を，電子書籍データに持たせておく必要がある。このリッチ設定情報を電子書籍ビューアが解釈することで，リッチ要素が展開される（動画の上映，音声の出力，リンク先のサイトの表示等）。
【０００４】
リッチ設定情報の主な内容には次のものがある。
【０００５】
１．リッチ要素を配置するエリア（領域）の位置（座標等）
２．リッチ要素を配置するエリアと紐付けられた（関連づけられた）リッチ要素（動画，音声，リンク等）の種類の特定
３．動画や音声の場合の再生するファイルの特定（記憶場所，リンク，ファイル名等），リンクの場合の参照先のアドレスなど，リッチ要素そのものの特定
４．リッチ要素の動作設定（動作開始のタイミング等，たとえばページを開いた直後や，リッチ設定エリアをクリックしたとき等）に関する情報
【０００６】
特許文献１には，電子書籍作成システムにおいて基本コンテンツを基準として，そこに貼り付ける編集対象コンテンツの貼り付け領域を確保することで電子書籍データを作成することが記載されている。
【先行技術文献】
【特許文献】
【０００７】
【特許文献１】再公表公報ＷＯ２００５／１０１２３２
【０００８】
しかしながら，リッチ要素の動作設定など，まだ不充分な点がある。
【発明の開示】
【０００９】
この発明は動作設定を含むリッチ設定情報の設定（制作）が容易にできるようにするものである。
【００１０】
この発明はまた，リッチ設定情報を確定に（漏れなく）設定（制作）できるようにする。
【００１１】
この発明はまた，制作途上において，設定したリッチ設定情報を容易に確認することができるようにする。
【００１２】
この発明による電子書籍制作システムは，ＤＴＰレイアウト・データを作成するＤＴＰレイアウト作成手段，ＤＴＰレイアウト表示画面上において，リッチ要素のために選定された（リッチ要素に関連する）領域を表わすリッチ要素フレームを設定して表示するリッチ要素フレーム設定手段，設定されたリッチ要素フレームに関連して，設定すべきリッチ要素に関する，少なくともリッチ要素の特定（リッチ要素の種類の特定，リッチ要素それ自体の特定）と動作設定とを含む情報を入力するリッチ設定情報入力手段，および上記フレーム設定手段により設定されたリッチ要素フレームのＤＴＰレイアウト上の位置と上記リッチ設定情報入力手段により入力されたリッチ設定入力情報とを取得して，指定形式のリッチ設定情報に変換する変換手段を備えたものである。
【００１３】
この発明によるリッチ設定情報制作装置は，ＤＴＰレイアウト表示画面上において，リッチ要素のために選定された領域を表わすリッチ要素フレームを設定して表示するリッチ要素フレーム設定手段，設定されたリッチ要素フレームに関連して，設定すべきリッチ要素に関する，少なくともリッチ要素の特定と動作設定とを含む情報を入力するリッチ設定情報入力手段，および上記フレーム設定手段により設定されたリッチ要素フレームのＤＴＰレイアウト上の位置と上記リッチ設定情報入力手段により入力されたリッチ設定入力情報とを取得して，指定形式のリッチ設定情報に変換する変換手段を備えたものである。
【００１４】
レイアウト表示画面上にリッチ要素フレームの設定により当該リッチ要素に関連する領域，たとえば電子書籍において，リッチ要素を展開する（動作する，たとえば表示する，音が出る，リンク先のページを表示する）ことに関連する領域，またはリッチ要素の展開の契機となる領域（たとえば，リッチ要素を展開させるために指示すべき，たとえばクリックすべき範囲）を設定することができるので，ＤＴＰレイアウト・データの作成途上，または作成後に，容易にリッチ情報の作成が可能である。特にリッチ要素フレームの位置，大きさはＤＴＰレイアウトと同じ座標上で表現されるので，ＤＴＰレイアウト・データ制作（編集）機能（手段）から取得可能であり，ユーザは位置座標等を指定，入力する必要はない。しかも，リッチ要素の動作設定が行われるから，リッチ要素の動作タイミングを設定することが可能である。そして，最終的にはリッチ設定情報は，電子書籍ビューアが解釈可能な指定形式に変換されるので，そのまま電子書籍データとなる。
【００１５】
好ましい実施態様では，上記リッチ設定情報入力手段は，リッチ設定ユーザ・インターフェースを表示画面に表示する。このリッチ設定ユーザ・インターフェースには入力すべきリッチ設定情報の項目が表示されるから，設定漏れがなく正確に入力することができる。
【００１６】
他の望ましい実施態様では，上記リッチ設定情報入力手段により入力されたリッチ設定入力情報を，関連するリッチ要素フレーム内に表示するリッチ設定情報入力確認手段をさらに備える。
【００１７】
リッチ設定情報入力手段により入力されたリッチ設定入力情報が表示されるから，ユーザは自分が設定したリッチ設定情報を確認することができる。要すれば，表示されたリッチ設定入力情報の修正，リッチ要素フレームの位置，大きさの修正を行えるようにすると一層好ましい。
【００１８】
このリッチ設定情報入力確認手段は，ユーザが指定したときのみ起動させることが好ましい。
【００１９】
この発明はさらに，コンピュータを用いたリッチ設定情報制作方法，同方法を含む電子書籍制作方法，さらにこれらの方法をコンピュータに実行させるプログラムを提供している。
【００２０】
すなわち，この発明による電子書籍制作におけるリッチ設定情報制作方法は，ＤＴＰレイアウト表示画面上において，リッチ要素のために選定された領域を表わすリッチ要素フレームを設定して表示し，設定されたリッチ要素フレームに関連して，設定すべきリッチ要素に関する，少なくともリッチ要素の特定と動作設定とを含む情報の入力を受付け，設定されたリッチ要素フレームのＤＴＰレイアウト上の位置と入力を受付けたリッチ設定入力情報とを取得して，指定形式のリッチ設定情報に変換するものである。
【００２１】
この発明による電子書籍制作におけるリッチ設定情報制作プログラムは，ＤＴＰレイアウト表示画面上において，リッチ要素のために選定された領域を表わすリッチ要素フレームを設定して表示し，設定されたリッチ要素フレームに関連して，設定すべきリッチ要素に関する，少なくともリッチ要素の特定と動作設定とを含む情報の入力を受付け，設定されたリッチ要素フレームのＤＴＰレイアウト上の位置と入力を受付けたリッチ設定入力情報とを取得して，指定形式のリッチ設定情報に変換するようにコンピュータを制御するものである。
【００２２】
この発明による電子書籍制作方法は，ＤＴＰレイアウト・データを作成する途上，またはその後に，ＤＴＰレイアウト表示画面上において，リッチ要素のために選定された領域を表わすリッチ要素フレームを設定して表示し，設定されたリッチ要素フレームに関連して，設定すべきリッチ要素に関する，少なくともリッチ要素の特定と動作設定とを含む情報の入力を受付け，設定されたリッチ要素フレームのＤＴＰレイアウト上の位置と入力を受付けたリッチ設定入力情報とを取得して，指定形式のリッチ設定情報に変換するものである。
【００２３】
この発明による電子書籍制作プログラムは，ＤＴＰレイアウト・データを作成する途上，またはその後に，ＤＴＰレイアウト表示画面上において，リッチ要素のために選定された領域を表わすリッチ要素フレームを設定して表示し，設定されたリッチ要素フレームに関連して，設定すべきリッチ要素に関する，少なくともリッチ要素の特定と動作設定とを含む情報の入力を受付け，設定されたリッチ要素フレームのＤＴＰレイアウト上の位置と入力を受付けたリッチ設定入力情報とを取得して，指定形式のリッチ設定情報に変換するようにコンピュータを制御するものである。
【図面の簡単な説明】
【００２４】
【図１】電子書籍制作システムの電気的構成を示すブロック図。
【図２】レイアウト編集したカタログのあるページ（第13ページ）を表わす表示画面を示す。
【図３】カタログのあるページを拡大して示す。
【図４】表示画面にリッチ設定Ｕ／Ｉウィンドウが現われた様子を示す。
【図５】リッチ設定Ｕ／Ｉウィンドウを拡大して示す。
【図６】リッチ設定Ｕ／Ｉウィンドウ内にリッチ設定入力情報が書込まれた様子を示す。
【図７】カタログのあるページに，入力されたリッチ設定情報が表示される様子を示す。
【図８】テキスト・データに変換されたリッチ設定情報を示す。
【図９】電子書籍データの一例を示す。
【図１０】リッチ設定情報制作の処理手順を示すフローチャート。
【図１１】電子書籍ビューアで表示された電子書籍のあるページを示す。
【図１２】電子書籍のあるページ上でリッチ要素の動画が表示されている様子を示す。
【実施例】
【００２５】
図１はレイアウト編集処理（ＤＴＰレイアウト・データ作成），リッチ設定情報制作処理等を含む電子書籍制作処理を行う電子書籍制作システム（装置）の電気的構成の概要を示すものである。電子書籍制作システム10は，たとえば，パーソナル・コンピュータ等により構成されており，制御部11，記憶部12，操作部13，表示部14およびインターフェース部（Ｉ／Ｆ部）15を備えている。この電子書籍制作システム10は，ＤＴＰレイアウト・データ作成装置（手段）（レイアウト編集装置（手段）），リッチ設定情報制作装置（手段）を含むということができる。
【００２６】
記憶部12は，たとえば，ハードディスク・ドライブや不揮発性メモリ等により構成されており，オペレーティング・システムや，アプリケーション等の各種プログラム，各種データ（ＤＴＰレイアウト・データ，各種テーブル，オブジェクト等）等を記憶する。これらのアプリケーション・プログラムには，ＤＴＰレイアウト・データを編集するためのレイアウト編集用アプリケーション（一般的なレイアウト・ソフトを含む），後述するリッチ設定情報制作処理等を行うプログラム等が含まれている。これらのプログラムはサーバ装置等からネットワークを介して取得するようにしてもよいし，記録媒体に記録されたものを読み込むようにしてもよい。
【００２７】
操作部13は，たとえばキーボード，マウス等により構成されており，ユーザ（オペレータまたは編集者）の入力操作を受け付け，入力操作に応じた操作信号を制御部11に送る。表示部14は，液晶ディスプレイ装置等で構成されており，制御部11の制御の下，ＤＴＰレイアウト，メニューなどの各種ウィンドウ等を表示する。Ｉ／Ｆ部15は，スキャナやプリンタ等の周辺機器との間で送受信するデータの変換等を行う。
【００２８】
制御部11は，演算機能を有するＣＰＵ，ＲＯＭ，作業用のＲＡＭ等を備えており，操作部13からの操作信号に基づいて，当該操作信号によって指示された処理（レイアウト編集処理，リッチ設定情報作成処理（後述するリッチ要素フレーム設定処理，リッチ設定情報入力処理，変換処理等を含む）等）を行い，その結果を記憶部12，表示部14，Ｉ／Ｆ部15に出力する。
【００２９】
図２は電子書籍制作システム10（レイアウト編集処理装置またはＤＴＰレイアウト・データ作成装置）において，作成した（または作成途上の）あるカタログの１ページ（第13ページ）を表示する表示部（表示装置）14の表示画面の一例を示している。カタログの第13ページ（符号20で示す）には，商品Ａ，Ｂ，Ｃ，Ｄについての表示欄（レイアウト・エリア（領域））がある。このうちで，商品Ａについてのレイアウト・エリアを符号21で示す。このエリア21には商品Ａの画像を表示するエリア22と，商品Ａの説明文のエリア23とが含まれている。このページ20の下部には，これらの商品に関する情報がその店のホームページ（ウェブ・サイト）にも掲載されていることを示す文が表わされたエリア24がある。表示画面の右上にはまた，リッチ設定ユーザ・インターフェース（以下，「リッチ設定Ｕ／Ｉ」という）を表示させるためのボタン31が表示されている（モード切替えボタンまたはメニューについては図示略）。
【００３０】
ユーザ（またはオペレータ）はモード切替えボタンまたはメニュー画面を用いてＤＴＰレイアウト編集モードからリッチ設定情報制作モードに切替える。システム10はＤＴＰレイアウト・データの作成完了後であっても，作成途上であってもリッチ設定情報制作モードに移り，次のように動作する。この動作がフローチャートとして図10に示されている。
【００３１】
まずリッチ要素フレームの設定が可能となる（図10，Ｓ101 ）。リッチ要素フレームの設定にはＤＴＰレイアウト編集プログラムが有しているフレーム設定処理，すなわち，図２の各エリア21，22，23等を設定する処理が用いられる。ユーザはページ20上の任意の位置で任意の大きさのリッチ要素フレームを設定することができる。図３はエリア22を囲む範囲を領域（エリア）として持つリッチ要素フレーム41と，エリア24内の一部を領域として持つように設けられたリッチ要素フレーム42を示している。制御部11はこれらのフレーム41，42の位置（レイアウト・ページ上の座標。エリア21，22，23等と同じ座標系で表わされる。）および大きさについてのデータを認識し，それを記憶部12に格納しておく。
【００３２】
ユーザがリッチ要素Ｕ／Ｉボタン31をクリックすると，図４に示すように（拡大図が図５に示されている），リッチ要素Ｕ／Ｉウィンドウ50が現われる（図10，Ｓ102 ）。このウィンドウ50内には，リッチ要素の種類（動画，音声，リンク等）ごとに，設定すべき項目（リッチ設定入力項目）を記述した欄51，52等が表示される。
【００３３】
動画の場合には，設定項目として，再生ファイル（再生すべき動画のファイル名またはそのリンク）（リッチ要素そのものの特定）および動作設定がある。動画についての動作設定には動作開始タイミング（ページ展開時，クリック時など）と再生サイズ（再生する画像のサイズ）が含まれる。リンクに関しては，ジャンプ先のＵＲＬ等と動作設定があり，動作設定には動作開始タイミングと表示ブラウザ（ジャンプ先のＵＲＬのページを表示するソフトウェア）とが含まれる。音声の場合には，再生ファイルおよび動作設定がある。動作設定には動作開始タイミングと再生回数（リピート再生，一回再生など）とが含まれる。
【００３４】
ユーザは，既に設定したリッチ要素フレーム41，42等と関連づけてこれらの表示されたリッチ設定入力項目にしたがって操作部13からリッチ設定入力情報を入力すればよい。ユーザは必要数のリッチ要素フレームを所望の場所に設定したのち（Ｓ101 ），それらを１つずつ選択しながら（選択したリッチ要素フレームは点滅などにより特定することが好ましい）そのリッチ要素フレームについてリッチ設定入力情報を入力してもよいし（Ｓ102 ），１つのリッチ要素フレームを設定してそのフレームについてリッチ設定入力情報を入力し，その後，次のリッチ要素フレームの設定に進んでもよい。すなわち，ステップＳ101とＳ102とを交互に繰返してもよい。制御部11は入力されたリッチ設定入力情報を対応するリッチ要素フレームと関連づけて，記憶部12に記憶する。このとき，エリア22，24等の画像，文字等を表示したままリッチ要素フレーム41，42を表示してもよいし（図４），エリア22，24等の画像，文字を表示しなくてもよい（図３）。
【００３５】
このようにして入力されたリッチ設定入力情報の一例が図６に示されている。このように，リッチ要素設定Ｕ／Ｉが表示され，ユーザはそこに示された項目にしたがって，入力すればよいから入力漏れ（記入漏れ）を防止できる。
【００３６】
ユーザは入力したリッチ設定入力情報を目視で確認したいときには，入力欄51または52に対応して表示されているフレーム書込みボタン（切替えボタン）53または54をクリックする。すると，図７に示されるように，既に設定されたリッチ要素フレーム41または42の内部に入力されたリッチ設定項目がテキストとして表示される（図10，Ｓ103 ）。この文字情報によりユーザは自分が設定したリッチ設定入力情報を確認することができる。ユーザは必要に応じて，各フレーム41，42内の文字を操作部13を用いて修正することができるし，場合によってはフレーム41，42の大きさ，位置を修正することもできる（図10，Ｓ104 ）。このような修正内容は制御部11によって記憶部12内の記憶データに反映される。
【００３７】
ユーザがリッチ設定情報の入力，必要な修正を終了し，変換ボタン（図示略）のクリック等により，変換の指令を入力すると，制御部11は既に設定されたリッチ要素フレームの位置，リッチ要素の種類および入力されたリッチ設定入力情報を，記憶部12から取得して，これらを電子書籍ビューアが解釈可能な形式のテキスト・データに変換する（図10，Ｓ105 ）。この変換結果の一例が図８に示されている。このテキスト・データは，リッチ要素の識別符号（たとえば連番），対象書籍のリッチ要素を実行（展開）すべき（リッチ要素が関連づけられた）ページ，リッチ要素の種類（動画，リンク，音声等），入力された再生ファイルまたはジャンプ先（リッチ要素そのものの特定），動作設定情報，リッチ要素フレームの位置，大きさ（リッチ要素フレームの左上角のＤＴＰレイアウト座標系における座標，横，縦の長さ）等を含む。これらの各種情報の前後は，＜（各項目を表わす）＞の文字，記号により挟まれているので，どのような項目かを識別できる。
【００３８】
図９はこのようにして作成された電子書籍のデータを示している。第13ページに関していえば，商品Ａ画像，商品Ａ説明文等に関するＤＴＰレイアウト・データ（フレームＩＤやその位置，大きさ，画像，文字等の内容）に加えて，上のようにして作成されたリッチ設定情報がテキスト・データとしてリッチ要素フレームＩＤに関連して記憶されている。
【００３９】
図11は，図９に示す電子書籍データを電子書籍ビューアが解釈して表示した表示画面の一例を示している。先に示したカタログの第13ページの内容である。リッチ要素を設定した領域を表わすリッチ要素フレーム41，42も，必要に応じて，表わされる（必ずしも表示しなくともよい）。読者がこれらのリッチ要素フレーム内をクリックすると，そこに設定されているリッチ要素がリッチ要素フレーム内に表われる。たとえばリッチ要素フレーム41内がクリックされると，先に設定されたリッチ設定情報にしたがって図12に示すように動画（図面では静止画としか表現できない）が現われる。リッチ要素フレーム42内がクリックされると，リッチ設定情報内のジャンプ先に電子書籍ビューアがアクセスしてそのウェブサイトの情報を取得し，リッチ要素フレーム42内に表示する。これらの表示は必ずしも該当するリッチ要素フレーム内に限らず，表示画面の全体（または一部）にわたって拡大表示してもよい。
【００４０】
以上のように，ＤＴＰレイアウトを作成しながら，または作成した後に，必要な位置にリッチ情報を容易に設定することができ，かつその確認，修正も容易に可能である。紙版と電子版を同時に作成することも容易に可能で，その確認もできる。必要に応じて，リッチ要素の設定情報（たとえば図７）をプリントすることもできる。ＤＴＰレイアウト制作において用いられるＤＴＰレイアウトの座標系がリッチ要素フレームの位置の特定にも用いられるので，ユーザはリッチ要素フレームの座標を入力する必要はない。
【符号の説明】
【００４１】
10  電子書籍制作システム（レイアウト編集処理装置またはＤＴＰレイアウト・データ作成装置，リッチ設定情報制作装置）
11  制御部
12  記憶部
13  操作部
14  表示部
20  １ページ分の表示
21，22，23，24  レイアウト・エリア
31  リッチ設定Ｕ／Ｉボタン
41，42  リッチ要素フレーム
50  リッチ設定Ｕ／Ｉウィンドウ
51，52  項目記述欄
53，54  フレーム書込みボタン（切替えボタン）
【図１】
2014174651.tif 000003
【図２】
2014174651.tif 000004
【図３】
2014174651.tif 000005
【図４】
2014174651.tif 000006
【図５】
2014174651.tif 000007
【図６】
2014174651.tif 000008
【図７】
2014174651.tif 000009
【図８】
2014174651.tif 000010
【図９】
2014174651.tif 000011
【図１０】
2014174651.tif 000012
【図１１】
2014174651.tif 000013
【図１２】
2014174651.tif 000014